(57)【要約】      （修正有）【課題】ネットワークに複数の画像形成装置が接続されているシステムにおいて、暗号化されたセキュアジョブを実行する場合、古い暗号化（復号化）アルゴリズムにのみ対応している画像形成装置に対しても問題なく出力する。【解決手段】機密性出力情報を暗号化／復号化する手段、前記暗号化された機密性出力情報を送信／受信する手段、前記暗号化された機密性出力情報が自身の復号化手段で復号化可能かどうかを判断する手段、自身の復号化機能を送信する手段、前記暗号化された機密性出力情報が自身の復号化手段で復号化できない場合に、ネットワークに接続された前記暗号化された機密性出力情報を復号化可能である機器を登録する手段、前記暗号化された機密性出力情報を他の機器に送信する手段、前記ネット−ワークに接続された他の機器において復号化され、再暗号化する手段、前記再暗号化された機密性出力情報を出力する手段、とで構成される。【選択図】図２
2006243998.tif 000002
【特許請求の範囲】
【請求項１】
複数人が共有する画像形成装置と該画像形成装置を制御する情報処理装置とがネットワーク接続された画像形成システムにおいて、
画像形成装置は、前記ネットワーク接続された情報処理装置から送信される暗号化された機密性出力情報を受信する受信手段と、前記暗号化された機密性出力情報より暗号化アルゴリズムのバージョンを識別する暗号化アルゴリズムのバージョン識別手段と、前記暗号化された機密性出力情報を復号化するための復号化アルゴリズムのバージョンを識別する復号化アルゴリズムのバージョン識別手段と、前記暗号化された機密性出力情報を復号化する復号化手段と、自身が復号化可能な暗号化アルゴリズムのバージョンを前記ネットワーク接続された他の画像形成装置または情報処理装置に送信する暗号化アルゴリズムのバージョン送信手段と、自身が復号化可能な暗号化アルゴリズムよりもバージョンの新しい暗号化アルゴリズムに対応する復号化アルゴリズムのバージョンによる復号化手段を備える前記ネットワーク接続された他の画像形成装置または情報処理装置をあらかじめ登録しておく登録手段とを備え、該画像形成装置が前記ネットワーク接続された情報処理装置から暗号化された機密性出力情報を受信した際、前記暗号化された機密性出力情報の暗号化アルゴリズムのバージョンを識別し、前記暗号化アルゴリズムのバージョンが自身が復号化可能な暗号化アルゴリズムのバージョンよりも新しいバージョンであった場合、あらかじめ該画像形成装置に登録されてある、前記ネットワークに接続された自身が復号化可能な暗号化アルゴリズムのバージョンよりもバージョンの新しい暗号化アルゴリズムに対応する復号化アルゴリズムのバージョンによる復号化手段を備える他の画像形成装置または情報処理装置に前記暗号化された機密性出力情報を送信し、前記ネットワーク接続された他の画像形成装置または情報処理装置において前記機密性出力情報が復号化され、前記復号化された機密性出力情報は、前記ネットワーク接続された他の画像形成装置または情報処理装置から該画像形成装置に返信され、該画像形成装置より出力する手段を備えることを特徴とする画像形成システム。
【請求項２】
前記他の画像形成装置または情報処理装置においては、前記画像形成装置自身が復号化可能な暗号化アルゴリズムのバージョンを前記ネットワーク接続された他の画像形成装置または情報処理装置に送信する暗号化アルゴリズムのバージョン送信手段により送信された前記が画像形成装置の復号化アルゴリズムにより復号化可能な暗号化アルゴリズムによる暗号化手段によって再度暗号化され、前記再度暗号化された機密性出力情報を前記ネットワークに接続された他の画像形成装置または情報処理装置から該画像形成装置に返信され、該画像形成装置より出力する手段を備えることを特徴とする請求項１記載の画像形成システム。
【請求項３】
前記画像処理装置においては、前記暗号化された機密性出力情報を復号化するための復号化アルゴリズムのバージョンを識別する復号化アルゴリズムのバージョン識別手段により、前記暗号化アルゴリズムのバージョンが、自身が復号化可能な暗号化アルゴリズムのバージョンよりも新しいバージョンであった場合、前記ネットワーク接続された他の画像形成装置または情報処理装置の中から、自身が復号化可能な暗号化アルゴリズムのバージョンよりも新しいバージョンの暗号化アルゴリズムに対応する復号化アルゴリズムのバージョンによる復号化手段を備える他の画像形成装置または情報処理装置を検索し、前記ネットワーク接続された他の画像形成装置または情報処理装置の中に、前記自身が復号化可能な暗号化アルゴリズムのバージョンよりも新しいバージョンの暗号化アルゴリズムに対応する復号化アルゴリズムのバージョンによる復号化手段を備える他の画像処理装置または情報処理装置が存在した場合は、その画像形成装置または情報処理装置に前記暗号化された機密性出力情報を送信する手段を備えることを特徴とする請求項１または請求項２に記載の画像形成システム。
【発明の詳細な説明】
【技術分野】
【０００１】
本発明は画像形成システムに関し、デジタル画像を扱うことが可能である複写機、スキャナ、プリンタ、ファクシミリ、およびそれらの機能を複数備える複合機と、それらの機器の情報処理方法に関する。
【背景技術】
【０００２】
近年、レーザービームプリンタ（ＬＢＰ）やインクジェットプリンタ（ＩＪＰ）などの高画質化、低価格化の促進により、物理的な衝撃を与えずに紙などの記録媒体に印刷することが可能な、この種のノンインパクトプリンタが急速に普及してきている。そしてそのノンインパクトプリンタの普及に伴って、複写機のデジタル化が進展するとともに、複写機を単にコピー用に使用するだけではなく、その複写機にスキャナ機能、あるいはファクシミリ機能などを備えた、いわゆる複合機（Ｍｕｌｔｉ  Ｆｕｎｃｔｉｏｎ  Ｐｒｉｎｔｅｒ：ＭＦＰ）が急速に普及してきている。
【０００３】
このような複合機は、ネットワークに対してインターフェース機能をつかさどるネットワークインターフェースを有し、ネットワークに接続されたコンピュータなどを介して、前記複合機を複数のユーザーで共有することが可能である。そして、このように種々の機能を有する複合機を複数のユーザーで共有することによって、オフィススペースにおける機器の占有面積を減少させることが可能であり、機器の利用効率を向上させることも可能である。
【０００４】
また、このような複合機は、ハードディスクドライブ（ＨＤＤ）の大容量化、半導体からなるメモリ装置の大容量化、低価格化が進んできており、これに伴い、記憶容量単位でのコストも低廉化してきている。そして、一部の複合機においては、プリンタ機能として、原稿画像やページ記述言語（Ｐａｇｅ  Ｄｅｓｃｒｉｐｔｉｏｎ  Ｌａｎｇｕａｇｅ：ＰＤＬ）で記述された出力情報を画像データに変換し、その画像データを画像圧縮して一旦ハードディスクドライブ（ＨＤＤ）やダイナミックランダムアクセスメモリ（ＤＲＡＭ）などに格納し、複数ページあるいは複数部数の画像データが蓄積された時点で、前記画像データを一括してリアルタイムに伸張しながら出力する方式が開発されている。
【０００５】
このような複合機においては、ページ記述言語（ＰＤＬ）で記述された出力情報を画像展開するときの展開時間がデータの内容によって大幅に異なるため、複写機能、画像読み取り（スキャナ）機能、印刷（プリンタ）機能、ファクシミリ機能、などの複数の諸機能を見かけ上同時に実行することが可能となり、プリンタやスキャナの効率の良い使用が可能となる。すなわち、前記複合機においては、複数ページあるいは複数部数の画像データが蓄積された時点で、前記画像データを一括してリアルタイムに伸張しながら出力するので、複写機能が動作していないにもかかわらずプリントジョブ実行中は他のジョブ処理を実行することができないという問題を解消することができる。
【特許文献１】特開平１１−２１２７４４号公報
【発明の開示】
【発明が解決しようとする課題】
【０００６】
しかしながら、前記従来の複合機において、たとえば、複数のユーザーが同時にプリント動作の指定をした場合、出力された各プリントジョブは排紙トレイ上で混在し、その結果、ユーザーがプリント動作の終了後に自己の出力されたプリントジョブを取りにきたときに、その出力されたプリントジョブを探すのに手間取るおそれがある。
【０００７】
このような問題を解消する手段としては、排紙トレイをジョブごとにシフトさせて、ジョブごとの分別を見分けやすくしたり、あるいは、ソーターのビンをジョブごとに割り当てるなどの工夫をすることが考えられる。
【０００８】
ただし、このような工夫は、前記複合機を共有するユーザーが多い場合には、排紙トレイやソーターのビンが短時間で満杯をなってしまうため、根本的な解決策とはならない。
【０００９】
また、ユーザー自らプリント動作を指定して、プリントジョブを実行させたにもかかわらず、長時間の間、その出力されたプリントジョブを取りに行かずに放置した場合や、その出力されたプリントジョブを取りに行くのを忘れてしまった場合は、排紙トレイに記録用紙があふれ、自己のプリントジョブを探し出すのに長時間を要するおそれがある。
【００１０】
さらに、他人が自己のプリントジョブを間違って持ち去ったために、所望の出力されたプリントジョブを見つけ出すことができなくなるおそれもある。
【００１１】
このような問題は、機密性が要求される情報を出力した場合には、特に深刻な問題となる。
【００１２】
このような問題を解消する手段としては、機密性を有する文書情報などを出力する場合は、ユーザーがプリントジョブを実行させるときに、たとえば「セキュア印刷」というプリントジョブを指定して実行し、そのセキュア印刷となったプリントジョブに対して、パスワードが付加されて複合機に送信され、複合機においては、前記セキュア印刷となったプリントジョブに対して、実際のプリント動作を行なわずに前記複合機のハードディスクドライブ（ＨＤＤ）などの大容量の記憶装置に蓄積しておき、その後ユーザーが複合機のパネルなどのユーザーインターフェースにおいて前記セキュア印刷のプリントジョブを指定し、そのセキュア印刷のプリントジョブに対応するパスワードを入力したあと、前記複合機のハードディスクドライブ（ＨＤＤ）などの大容量の記憶装置から前記セキュア印刷となったプリントジョブを実行し、実際のプリント動作を行なうことで、出力される文書情報の機密性を確保することが行なわれている（例えば、特許文献１参照）。
【００１３】
さらに、セキュア印刷のプリントジョブに対するパスワード入力だけではなく、個人情報をＩＣカードなどの記録媒体に記憶しておき、セキュア印刷ジョブを送信する際に、セキュア印刷ジョブを発行するパーソナルコンピュータ（ＰＣ）などに備わったＩＣカードリーダのような個人情報を記憶したＩＣカードから個人情報を引き出せる装置から、ＩＣカード入力によって、ユーザーがセキュア印刷ジョブといっしょに個人認証を行い、その後、ユーザーが複合機において前記セキュア印刷ジョブを実行する際にも、前記複合機に備わった、前記パーソナルコンピュータ（ＰＣ）などに備わったＩＣカードリーダと同様な、個人情報を記憶したＩＣカードから個人情報を引き出せる装置からＩＣカード入力によって、ユーザーがセキュア印刷ジョブに対応した個人認証を行なうことで、より高い機密性を確保することが行なわれている。
【００１４】
しかしながら、このように出力される文書情報の機密性を確保する場合においては、社内ＬＡＮなどのネットワーク上に流れるセキュアジョブは暗号化される必要があり、かつ、複合機などで実際にセキュアジョブを実行する際には、前記暗号化されたセキュアジョブを復号化する必要がある。
【００１５】
すなわち、社内ＬＡＮなどで構築されたネットワークにおいて、暗号を利用して機密性の高いセキュアジョブを実現するためには、セキュアジョブを発行するパーソナルコンピュータ（ＰＣ）などの上位装置においては暗号化アルゴリズムによる暗号化機能と、セキュアジョブを実行する複合機などの印刷装置においては、前記暗号化アルゴリズムによる暗号化に対応した復号化機能が必要となり、双方の暗号化アルゴリズムの対応がなされていない場合、たとえばセキュアジョブを発行するパーソナルコンピュータ（ＰＣ）などの上位装置などのおいては、最新の暗号化アルゴリズムに対応した暗号化機能が搭載されているにもかかわらず、セキュアジョブを実行する複合機などの印刷装置においては、前記最新の暗号化アルゴリズムに対応した復号化機能が搭載されていない場合、前記複合機などの印刷装置などにおいては、前記セキュアジョブを復号化することができず、結果として意味のないデータを出力してしまうという問題がある。また、前記セキュアジョブを発行するパーソナルコンピュータ（ＰＣ）などの上位装置と、前記セキュアジョブを実行する複合機などの印刷装置の双方に、最新の暗号化アルゴリズムに対応した暗号化機能、復号化機能を搭載すると、システム全体としては高価なものになってしまうという問題がある。
【００１６】
また、既存の社内ＬＡＮなどのネットワークには、複合機などの最新の暗号化アルゴリズムに対応した復号化機能を備えた印刷装置ばかりではなく、プリンタなどの単機能周辺機器（ＳＦＰ）も接続されているにもかかわらず、最新の暗号化アルゴリズムに対応した復号化機能を必要とする機密性の高いセキュアジョブを実現可能となるのは、前記最新の暗号化アルゴリズムに対応した復号化機能を備える複合機に対してセキュアジョブを発行する場合のみとなってしまい、資源が有効に活用されないという問題もある。
【００１７】
本発明は、以上の点に着目して成されたもので、ネットワークに複数の画像形成装置が接続されているシステムにおいて、暗号化されたセキュアジョブを実行する場合、古い暗号化（復号化）アルゴリズムにのみ対応している画像形成装置に対しても問題なく出力することを保証する画像形成システムを提供することを目的とする。
【課題を解決するための手段】
【００１８】
本発明は、上記問題を解決するために考えられたもので、複数人が共有する画像形成装置と該画像形成装置を制御する情報処理装置とがネットワーク接続された画像形成システムにおいて、
画像形成装置は、前記ネットワーク接続された情報処理装置から送信される暗号化された機密性出力情報を受信する受信手段と、前記暗号化された機密性出力情報より暗号化アルゴリズムのバージョンを識別する暗号化アルゴリズムのバージョン識別手段と、前記暗号化された機密性出力情報を復号化するための復号化アルゴリズムのバージョンを識別する復号化アルゴリズムのバージョン識別手段と、前記暗号化された機密性出力情報を復号化する復号化手段と、自身が復号化可能な暗号化アルゴリズムのバージョンを前記ネットワーク接続された他の画像形成装置または情報処理装置に送信する暗号化アルゴリズムのバージョン送信手段と、自身が復号化可能な暗号化アルゴリズムよりもバージョンの新しい暗号化アルゴリズムに対応する復号化アルゴリズムのバージョンによる復号化手段を備える前記ネットワーク接続された他の画像形成装置または情報処理装置をあらかじめ登録しておく登録手段とを備え、該画像形成装置が前記ネットワーク接続された情報処理装置から暗号化された機密性出力情報を受信した際、前記暗号化された機密性出力情報の暗号化アルゴリズムのバージョンを識別し、前記暗号化アルゴリズムのバージョンが自身が復号化可能な暗号化アルゴリズムのバージョンよりも新しいバージョンであった場合、あらかじめ該画像形成装置に登録されてある、前記ネットワークに接続された自身が復号化可能な暗号化アルゴリズムのバージョンよりもバージョンの新しい暗号化アルゴリズムに対応する復号化アルゴリズムのバージョンによる復号化手段を備える他の画像形成装置または情報処理装置に前記暗号化された機密性出力情報を送信し、前記ネットワーク接続された他の画像形成装置または情報処理装置において前記機密性出力情報が復号化され、前記復号化された機密性出力情報は、前記ネットワーク接続された他の画像形成装置または情報処理装置から該画像形成装置に返信され、該画像形成装置より出力する手段を備えることを特徴とする。
【００１９】
複数人が共有する画像形成装置と該画像形成装置を制御する情報処理装置とがネットワーク接続された画像形成システムにおいて、
画像形成装置は、前記ネットワーク接続された情報処理装置から送信される暗号化された機密性出力情報を受信する受信手段と、前記暗号化された機密性出力情報より暗号化アルゴリズムのバージョンを識別する暗号化アルゴリズムのバージョン識別手段と、前記暗号化された機密性出力情報を復号化するための復号化アルゴリズムのバージョンを識別する復号化アルゴリズムのバージョン識別手段と、前記暗号化された機密性出力情報を復号化する復号化手段と、自身が復号化可能な暗号化アルゴリズムのバージョンを前記ネットワーク接続された他の画像形成装置または情報処理装置に送信する暗号化アルゴリズムのバージョン送信手段と、自身が復号化可能な暗号化アルゴリズムよりもバージョンの新しい暗号化アルゴリズムに対応する復号化アルゴリズムのバージョンによる復号化手段を備える前記ネットワーク接続された他の画像形成装置または情報処理装置をあらかじめ登録しておく登録手段とを備え、該画像形成装置が前記ネットワーク接続された情報処理装置から暗号化された機密性出力情報を受信した際、前記暗号化された機密性出力情報の暗号化アルゴリズムのバージョンを識別し、前記暗号化アルゴリズムのバージョンが自身が復号化可能な暗号化アルゴリズムのバージョンよりも新しいバージョンであった場合、あらかじめ該画像形成装置に登録されてある、前記ネットワークに接続された自身が復号化可能な暗号化アルゴリズムのバージョンよりもバージョンの新しい暗号化アルゴリズムに対応する復号化アルゴリズムのバージョンによる復号化手段を備える他の画像形成装置または情報処理装置に前記暗号化された機密性出力情報を送信し、前記ネットワーク接続された他の画像形成装置または情報処理装置において前記機密性出力情報が復号化され、前記復号化された機密性出力情報は、前記ネットワーク接続された他の画像形成装置または情報処理装置において、該画像形成装置が復号化可能な暗号化アルゴリズムによる暗号化手段によって再度暗号化され、前記再度暗号化された機密性出力情報を前記ネットワークに接続された他の画像形成装置または情報処理装置から該画像形成装置に返信され、該画像形成装置より出力する手段を備えることを特徴とする。
【００２０】
複数人が共有する画像形成装置と該画像形成装置を制御する情報処理装置とがネットワーク接続された画像形成システムにおいて、
画像形成装置は、前記ネットワーク接続された情報処理装置から送信される暗号化された機密性出力情報を受信する受信手段と、前記暗号化された機密性出力情報より暗号化アルゴリズムのバージョンを識別する暗号化アルゴリズムのバージョン識別手段と、前記暗号化された機密性出力情報を復号化するための復号化アルゴリズムのバージョンを識別する復号化アルゴリズムのバージョン識別手段と、前記暗号化された機密性出力情報を復号化する復号化手段と、自身が復号化可能な暗号化アルゴリズムのバージョンを前記ネットワーク接続された他の画像形成装置または情報処理装置に送信する暗号化アルゴリズムのバージョン送信手段と、該画像形成装置が前記ネットワーク接続された情報処理装置から暗号化された機密性出力情報を受信した際、前記暗号化された機密性出力情報の暗号化アルゴリズムのバージョンを識別し、前記暗号化アルゴリズムのバージョンが自身が復号化可能な暗号化アルゴリズムのバージョンよりも新しいバージョンであった場合、前記ネットワーク接続された他の画像形成装置または情報処理装置の中から、自身が復号化可能な暗号化アルゴリズムのバージョンよりも新しいバージョンの暗号化アルゴリズムに対応する復号化アルゴリズムのバージョンによる復号化手段を備える他の画像形成装置または情報処理装置を検索し、前記ネットワーク接続された他の画像形成装置または情報処理装置の中に、前記自身が復号化可能な暗号化アルゴリズムのバージョンよりも新しいバージョンの暗号化アルゴリズムに対応する復号化アルゴリズムのバージョンによる復号化手段を備える他の画像処理装置または情報処理装置が存在した場合は、その画像形成装置または情報処理装置に前記暗号化された機密性出力情報を送信し、前記ネットワーク接続された他の画像形成装置または情報処理装置において前記機密性出力情報が復号化され、前記復号化された機密性出力情報は、前記ネットワーク接続された他の画像形成装置または情報処理装置において、該画像形成装置が復号化可能な暗号化アルゴリズムによる暗号化手段によって再度暗号化され、前記再度暗号化された機密性出力情報を前記ネットワークに接続された他の画像形成装置または情報処理装置から該画像形成装置に返信され、該画像形成装置より出力する手段を備えることを特徴とする。
【発明の効果】
【００２１】
本発明にかかる画像形成システムによれば、ユーザーが暗号化を利用した機密性の高いセキュアジョブなどを行なう場合において、最新の暗号化アルゴリズムに対応した復号化機能を備える複合機をあらかじめ登録しておくことによって、前記最新の暗号化アルゴリズムに対応した復号化機能を備えていないプリンタなどにもセキュアジョブを実行させることが可能である。
【００２２】
また、本発明にかかる画像形成システムによれば、ユーザーが暗号化を利用した機密性の高いセキュアジョブなどを行なう場合において、最新の暗号化アルゴリズムに対応した復号化機能を備える複合機をあらかじめ登録しておかなくても、ネットワーク上に前記最新の暗号化アルゴリズムに対応した復号化機能を備える複合機を検索し、その複合機を使用することによって、その他の最新の暗号化アルゴリズムに対応した復号化機能を備えていないプリンタなどにもセキュアジョブを実行させることが可能である。
【００２３】
また、本発明にかかる画像形成システムによれば、ユーザーが暗号化を利用した機密性の高いセキュアジョブなどを行なう場合において、ネットワーク上に前記最新の暗号化アルゴリズムに対応した復号化機能を備える複合機が１台でもあれば、その他の前記最新の暗号化アルゴリズムに対応した復号化機能を備えていないプリンタなどにもセキュアジョブを実行させることが可能である。
【００２４】
また、本発明にかかる画像形成システムによれば、ユーザーが暗号化を利用した機密性の高いセキュアジョブなどを行なう場合において、ネットワーク上に前記最新の暗号化アルゴリズムに対応した復号化機能を備える複合機が１台でもあれば、その他の前記最新の暗号化アルゴリズムに対応した復号化機能を備えていないプリンタなどのセキュアジョブ全体の管理を効率良く行なうことが可能である。
【００２５】
また、本発明にかかる画像形成システムによれば、ユーザーが暗号化を利用した機密性の高いセキュアジョブなどを行なう場合において、前記最新の暗号化アルゴリズムに対応した復号化機能を備える複合機から、実際にセキュアジョブを行なうプリンタなどへのデータ通信が、前記実際にセキュアジョブを行なうプリンタなどが備える復号化機能に対応したデータに再暗号化されて通信されることから、セキュアジョブ全体のデータ通信効率の向上が可能である。
【発明を実施するための最良の形態】
【００２６】
以下、本発明の実施の形態を図面にしたがって説明する。
【実施例】
【００２７】
図１は、本発明の構成を説明する図である。
【００２８】
同図において、１００は、コピー機能を持つ複写機にスキャナ機能、プリンタ機能、ファクシミリ機能などを備えた複合機（Ｍｕｌｔｉ  Ｆｕｎｃｔｉｏｎ  Ｐｒｉｎｔｅｒ：ＭＦＰ）であり、１１０は、プリンタやＦＡＸなどの単機能周辺機器（ＳＦＰ）であり、１２０は、オフィスなどのパーソナルコンピュータ（ＰＣ）である。
【００２９】
前記１００の複合機（ＭＦＰ）と前記１１０単機能周辺機器（ＳＦＰ）、および前記１２０のパーソナルコンピュータ（ＰＣ）は、１３０の社内ＬＡＮなどのネットワークで接続されている。
【００３０】
図２は、前記本発明の構成要素を詳細に説明する図である。
【００３１】
同図において、１００は、図１と同様に複合機（ＭＦＰ）であり、１０１は、前記複合機（ＭＦＰ）の制御をつかさどる中央演算装置（Ｃｅｎｔｒａｌ  Ｐｒｏｃｅｓｓｉｎｇ  Ｕｎｉｔ：ＣＰＵ）であり、１０２は、前記複合機（ＭＦＰ）の処理全般において一時的な記憶領域として使用されるメモリであり、１０３は、前記複合機（ＭＦＰ）に備わる大容量の記憶装置としてのハードディスクドライブ（ＨＤＤ）であり、１０４は、前記複合機（ＭＦＰ）に備わるパネルなどのユーザーインターフェース（ＵＩ）であり、１０５は、前記複合機（ＭＦＰ）に備わるネットワークインターフェースなどの入出力部（Ｉｎｐｕｔ  Ｏｕｔｐｕｔ）であり、１０６は、画像データの読み取りを行なうスキャナ部であり、１０７は、前記スキャナ部で読み取った画像データを印刷するプリンタ部であり、１０８は、前記ブロックを接続するシステムバスである。
【００３２】
１１０は、図１と同様にプリンタやＦＡＸなどの単機能周辺機器（ＳＦＰ）であり、１１１は、前記単機能周辺機器（ＳＦＰ）の制御をつかさどる中央演算装置（Ｃｅｎｔｒａｌ  Ｐｒｏｃｅｓｓｉｎｇ  Ｕｎｉｔ：ＣＰＵ）であり、１１２は、前記単機能周辺機器（ＳＦＰ）の処理全般において一時的な記憶領域として使用されるメモリであり、１１３は、前記単機能周辺機器（ＳＦＰ）に備わる大容量の記憶装置としてのハードディスクドライブ（ＨＤＤ）であり、１１４は、前記単機能周辺機器（ＳＦＰ）に備わるパネルなどのユーザーインターフェース（ＵＩ）であり、１１５は、前記単機能周辺機器（ＳＦＰ）に備わるネットワークインターフェースなどの入出力部（Ｉｎｐｕｔ  Ｏｕｔｐｕｔ）であり、１１６は、前記単機能周辺機器（ＳＦＰ）に備わる画像データを印刷するプリンタ部であり、１１７は、前記ブロックを接続するシステムバスである。
【００３３】
１２０は、図１と同様にオフィスなどのパーソナルコンピュータ（ＰＣ）であり、１２１は、前記パーソナルコンピュータ（ＰＣ）の制御をつかさどる中央演算装置（Ｃｅｎｔｒａｌ  Ｐｒｏｃｅｓｓｉｎｇ  Ｕｎｉｔ：ＣＰＵ）であり、１２２は、前記パーソナルコンピュータ（ＰＣ）の処理全般において一時的な記憶領域として使用されるメモリであり、１２３は、前記パーソナルコンピュータ（ＰＣ）に備わるネットワークインターフェースなどの入出力部（Ｉｎｐｕｔ  Ｏｕｔｐｕｔ）であり、１２４は、前記パーソナルコンピュータ（ＰＣ）に備わる大容量の記憶装置としてのハードディスクドライブ（ＨＤＤ）であり、１２５は、前記ブロックを接続するシステムバスであり、１２６は、前記パーソナルコンピュータ（ＰＣ）の入力情報を出力表示するディスプレイであり、１２７は、前記パーソナルコンピュータ（ＰＣ）にデータ入力を行なうキーボードである。
【００３４】
前記複合機（ＭＦＰ）と前記単機能周辺機器（ＳＦＰ）と前記パーソナルコンピュータ（ＰＣ）は、図１と同様に１３０の社内ＬＡＮなどのネットワークで接続されている。
【００３５】
このような構成された前記複合機（ＭＦＰ）１００においては、前記パーソナルコンピュータ（ＰＣ）１１０や１２０から送られてきたページ記述言語（Ｐａｇｅ  Ｄｅｓｃｒｉｐｔｉｏｎ  Ｌａｎｇｕａｇｅ：ＰＤＬ）で記述された出力情報を受け取ると、前記中央演算装置（Ｃｅｎｔｒａｌ  Ｐｒｏｃｅｓｓｉｎｇ  Ｕｎｉｔ：ＣＰＵ）１０１では、前記複合機（ＭＦＰ）１１０のプリント部１０７が受け取り可能な画像データに変換したり、あるいは、前記複合機（ＭＦＰ）１１０のスキャナ部１０６から読み取った画像データに対して画像圧縮処理などを行なって前記複合機（ＭＦＰ）の一時記憶領域であるメモリ１０２にいったん格納し、前記パーソナルコンピュータ（ＰＣ）１１０や１２０から送られてきた命令にしたがってファクシミリ送信などを行なう。
【００３６】
図３は、本発明の第一の実施例を説明するフローチャートである。
【００３７】
この図３を用いて、本発明の第一の実施例における実施手順を説明する。
オフィスに置かれ複数のパーソナルコンピュータ（ＰＣ）などに接続された単機能周辺機器（ＳＦＰ）において、ユーザーが単機能周辺機器（ＳＦＰ）にセキュアジョブを送信する（Ｓ３０１）。
【００３８】
前記単機能周辺機器（ＳＦＰ）は、受信したセキュアジョブを保存し、暗号化ジョブリストを作成する（Ｓ３０２）。
【００３９】
前記単機能周辺機器（ＳＦＰ）は、暗号化ジョブリストのセキュアジョブが自身に搭載されている復号化機能によって復号化が可能かどうかを判断する（Ｓ３０３）。
【００４０】
前記単機能周辺機器（ＳＦＰ）が前記暗号化ジョブリストのセキュアジョブが自身に搭載されている復号化機能によって復号化が不可能な場合、前記単機能周辺機器（ＳＦＰ）は、社内ＬＡＮなどのネットワーク上に接続された、あらかじめ設定されてある前記複合機（ＭＦＰ）に対して、前記暗号化ジョブリストのセキュアジョブを送信する（Ｓ３０４）。
【００４１】
前記単機能周辺機器（ＳＦＰ）からセキュアジョブを受信した前記複合機（ＭＦＰ）は、セキュアジョブリストを生成する（Ｓ３０５）。
【００４２】
前記複合機（ＭＦＰ）は、セキュアジョブリストにしたがって、自身に搭載されている最新の復号化アルゴリズムによる復号化機能によって、セキュアジョブを復号化する（Ｓ３０６）。
【００４３】
前記複合機（ＭＦＰ）は、復号化したセキュアジョブが社内ＬＡＮなどのネットワーク上に接続された前記単機能周辺機器（ＳＦＰ）から送信されたセキュアジョブかどうかを判断する（Ｓ３０７）。
【００４４】
前記複合機（ＭＦＰ）が復号化したセキュアジョブが、社内ＬＡＮなどのネットワーク上に接続された前記単機能周辺機器（ＳＦＰ）からの送信されたセキュアジョブであった場合、前記複合機（ＭＦＰ）は、社内ＬＡＮなどのネットワーク上に接続された単機能周辺機器（ＳＦＰ）の、あらかじめ複合機（ＭＦＰ）自身に設定されてある前記単機能周辺機器（ＳＦＰ）が搭載している暗号化アルゴリズムによって、前記復号化したセキュアジョブを、再度暗号化する（Ｓ３０８）。
【００４５】
前記複合機（ＭＦＰ）は、あらかじめ複合機（ＭＦＰ）自身に設定されてある前記単機能周辺機器（ＳＦＰ）が搭載している暗号化アルゴリズムによって再暗号化したセキュアジョブを、前記社内ＬＡＮなどのネットワーク上に接続した前記単機能周辺機器（ＳＦＰ）に返信する（Ｓ３０９）。
【００４６】
前記複合機（ＭＦＰ）から前記あらかじめ複合機（ＭＦＰ）自身に設定されてある前記単機能周辺機器（ＳＦＰ）が搭載している暗号化アルゴリズムによって再暗号化したセキュアジョブを受信した前記単機能周辺機器（ＳＦＰ）は、自身の暗号化ジョブリストを検索する（Ｓ３１０）。
【００４７】
前記単機能周辺機器（ＳＦＰ）は、自身の暗号化ジョブリストの中から、前記あらかじめ複合機（ＭＦＰ）自身に設定されてある前記単機能周辺機器（ＳＦＰ）が搭載している暗号化アルゴリズムによって再暗号化したセキュアジョブに対応するジョブを特定し、自身に搭載されている復号化アルゴリズムによる復号化機能によって、該当ジョブを復号化する（Ｓ３１１）。
【００４８】
前記単機能周辺機器（ＳＦＰ）は、前記自身に搭載されている復号化アルゴリズムによる復号化機能によって復号化されたセキュアジョブを実行する（Ｓ３１２）。
【００４９】
また、前記複合機（ＭＦＰ）は、復号化したセキュアジョブが社内ＬＡＮなどのネットワーク上に接続された前記単機能周辺機器（ＳＦＰ）から送信されたセキュアジョブかどうかを判断した際（Ｓ３０７）、前記複合機（ＭＦＰ）が復号化したセキュアジョブが、社内ＬＡＮなどのネットワーク上に接続された前記単機能周辺機器（ＳＦＰ）からの送信されたセキュアジョブでなかった場合、すなわち、前記複合機（ＭＦＰ）自身のセキュアジョブであった場合、前記複合機（ＭＦＰ）は、そのままセキュアジョブを実行する（Ｓ３１３）。
【００５０】
また、前記単機能周辺機器（ＳＦＰ）は、暗号化ジョブリストのセキュアジョブが自身に搭載されている復号化機能によって復号化が可能かどうかを判断した際（Ｓ３０３）、前記単機能周辺機器（ＳＦＰ）が前記暗号化ジョブリストのセキュアジョブが自身に搭載されている復号化機能によって復号化が可能な場合、前記単機能周辺機器（ＳＦＰ）は、自身に搭載されている復号化アルゴリズムによる復号化機能によって、該当ジョブを復号化する（Ｓ３１１）。
【００５１】
前記単機能周辺機器（ＳＦＰ）は、前記自身に搭載されている復号化アルゴリズムによる復号化機能によって復号化されたセキュアジョブを実行する（Ｓ３１２）。
【００５２】
図４は、本発明の第二の実施例を説明するフローチャートである。
【００５３】
第二の実施例は、第一の実施の形態において、オフィスに置かれ複数のパーソナルコンピュータ（ＰＣ）などに接続された単機能周辺機器（ＳＦＰ）に対してセキュアジョブを送信する際に、社内ＬＡＮなどのネットワーク上に接続された、あらかじめ設定されてある複合機（ＭＦＰ）がない場合に、どのように処理するかという点に特徴がある。
【００５４】
この図４を用いて、本発明の第二の実施例における実施手順を説明する。
【００５５】
オフィスに置かれ複数のパーソナルコンピュータ（ＰＣ）などに接続された単機能周辺機器（ＳＦＰ）において、ユーザーが単機能周辺機器（ＳＦＰ）にセキュアジョブを送信する（Ｓ４０１）。
【００５６】
前記単機能周辺機器（ＳＦＰ）は、受信したセキュアジョブを保存し、暗号化ジョブリストを作成する（Ｓ４０２）。
【００５７】
前記単機能周辺機器（ＳＦＰ）は、暗号化ジョブリストのセキュアジョブが自身に搭載されている復号化機能によって復号化が可能かどうかを判断する（Ｓ４０３）。
【００５８】
前記単機能周辺機器（ＳＦＰ）が前記暗号化ジョブリストのセキュアジョブが自身に搭載されている復号化機能によって復号化が不可能な場合、前記単機能周辺機器（ＳＦＰ）は、社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）を検索する（Ｓ４０４）。
【００５９】
前記単機能周辺機器（ＳＦＰ）が社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）があるかを判断する（Ｓ４０５）。
【００６０】
前記単機能周辺機器（ＳＦＰ）が社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）があった場合、単機能周辺機器（ＳＦＰ）その複合機（ＭＦＰ）に対して、前記暗号化ジョブリストのセキュアジョブを送信する（Ｓ４０６）。
【００６１】
前記単機能周辺機器（ＳＦＰ）からセキュアジョブを受信した前記複合機（ＭＦＰ）は、セキュアジョブリストを生成する（Ｓ４０７）。
【００６２】
前記複合機（ＭＦＰ）は、セキュアジョブリストにしたがって、自身に搭載されている最新の復号化アルゴリズムによる復号化機能によって、セキュアジョブを復号化する（Ｓ４０８）。
【００６３】
前記複合機（ＭＦＰ）は、復号化したセキュアジョブが社内ＬＡＮなどのネットワーク上に接続された前記単機能周辺機器（ＳＦＰ）から送信されたセキュアジョブかどうかを判断する（Ｓ４０９）。
【００６４】
前記複合機（ＭＦＰ）が復号化したセキュアジョブが、社内ＬＡＮなどのネットワーク上に接続された前記単機能周辺機器（ＳＦＰ）からの送信されたセキュアジョブであった場合、前記複合機（ＭＦＰ）は、社内ＬＡＮなどのネットワーク上に接続された単機能周辺機器（ＳＦＰ）の、あらかじめ複合機（ＭＦＰ）自身に設定されてある前記単機能周辺機器（ＳＦＰ）が搭載している暗号化アルゴリズムによって、前記復号化したセキュアジョブを、再度暗号化する（Ｓ４１０）。
【００６５】
前記複合機（ＭＦＰ）は、あらかじめ複合機（ＭＦＰ）自身に設定されてある前記単機能周辺機器（ＳＦＰ）が搭載している暗号化アルゴリズムによって再暗号化したセキュアジョブを、前記社内ＬＡＮなどのネットワーク上に接続した前記単機能周辺機器（ＳＦＰ）に返信する（Ｓ４１１）。
【００６６】
前記複合機（ＭＦＰ）から前記あらかじめ複合機（ＭＦＰ）自身に設定されてある前記単機能周辺機器（ＳＦＰ）が搭載している暗号化アルゴリズムによって再暗号化したセキュアジョブを受信した前記単機能周辺機器（ＳＦＰ）は、自身の暗号化ジョブリストを検索する（Ｓ４１２）。
【００６７】
前記単機能周辺機器（ＳＦＰ）は、自身の暗号化ジョブリストの中から、前記あらかじめ複合機（ＭＦＰ）自身に設定されてある前記単機能周辺機器（ＳＦＰ）が搭載している暗号化アルゴリズムによって再暗号化したセキュアジョブに対応するジョブを特定し、自身に搭載されている復号化アルゴリズムによる復号化機能によって、該当ジョブを復号化する（Ｓ４１３）。
【００６８】
前記単機能周辺機器（ＳＦＰ）は、前記自身に搭載されている復号化アルゴリズムによる復号化機能によって復号化されたセキュアジョブを実行する（Ｓ４１４）。
【００６９】
また、前記複合機（ＭＦＰ）は、復号化したセキュアジョブが社内ＬＡＮなどのネットワーク上に接続された前記単機能周辺機器（ＳＦＰ）から送信されたセキュアジョブかどうかを判断した際（Ｓ４０９）、前記複合機（ＭＦＰ）が復号化したセキュアジョブが、社内ＬＡＮなどのネットワーク上に接続された前記単機能周辺機器（ＳＦＰ）からの送信されたセキュアジョブでなかった場合、すなわち、前記複合機（ＭＦＰ）自身のセキュアジョブであった場合、前記複合機（ＭＦＰ）は、そのままセキュアジョブを実行する（Ｓ４１５）。
【００７０】
また、前記単機能周辺機器（ＳＦＰ）は、暗号化ジョブリストのセキュアジョブが自身に搭載されている復号化機能によって復号化が可能かどうかを判断した際（Ｓ４０３）、前記単機能周辺機器（ＳＦＰ）が前記暗号化ジョブリストのセキュアジョブが自身に搭載されている復号化機能によって復号化が可能な場合、前記単機能周辺機器（ＳＦＰ）は、自身に搭載されている復号化アルゴリズムによる復号化機能によって、該当ジョブを復号化する（Ｓ４１３）。
【００７１】
前記単機能周辺機器（ＳＦＰ）は、前記自身に搭載されている復号化アルゴリズムによる復号化機能によって復号化されたセキュアジョブを実行する（Ｓ４１４）。
【００７２】
また、前記単機能周辺機器（ＳＦＰ）が前記暗号化ジョブリストのセキュアジョブが自身に搭載されている復号化機能によって復号化が不可能な場合、前記単機能周辺機器（ＳＦＰ）は、社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）を検索した際（Ｓ４０４）、前記単機能周辺機器（ＳＦＰ）が社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）があるかを判断し（Ｓ４０５）、前記単機能周辺機器（ＳＦＰ）が社内ＬＡＮなどのネットワーク上に接続された複合機（ＭＦＰ）の中から、前記セキュアジョブに対応した、最新の復号化アルゴリズムによる復号化機能を搭載した複合機（ＭＦＰ）がなかった場合、すなわち、社内ＬＡＮなどのネットワーク上に、前記セキュアジョブを復号化することのできる、最新の復号化アルゴリズムによる復号化機能を搭載する複合機（ＭＦＰ）および単機能周辺機器（ＳＦＰ）がない場合、単機能周辺機器（ＳＦＰ）は、その旨をユーザーに通知して処理を終了する（Ｓ４１６）。
【００７３】
また、第一の実施例および第二の実施例においては、最新の暗号化アルゴリズムに対応した復号化機能を搭載する機器を複合機（ＭＦＰ）で説明したが、これまでの説明で明らかなように、社内ＬＡＮなどのネットワーク上に接続され、前記最新の暗号化アルゴリズムに対応した復号化機能を有していればよく、たとえばパーソナルコンピュータ（ＰＣ）でもまったく同じことが可能であり、複合機（ＭＦＰ）または単機能周辺機器（ＳＦＰ）に限定されるものではない。
【図面の簡単な説明】
【００７４】
【図１】本発明の構成を説明する図である。
【図２】本発明の構成要素を詳細に説明する図である。
【図３】本発明の第一の実施例を説明するフローチャートである。
【図４】本発明の第二の実施例を説明するフローチャートである。
【符号の説明】
【００７５】
１００  複合機（ＭＦＰ）
１０１  中央演算装置（Ｃｅｎｔｒａｌ  Ｐｒｏｃｅｓｓｉｎｇ  Ｕｎｉｔ：ＣＰＵ）
１０２  メモリカードインターフェース（ＣＡＲＤ  Ｉ／Ｆ）
１０３  ハードディスクドライブ（ＨＤＤ）
１０４  ユーザーインターフェース（ＵＩ）
１０５  入出力部（Ｉｎｐｕｔ  Ｏｕｔｐｕｔ）
１０６  スキャナ部
１０７  プリント部
１０８  システムバス
１１０  単機能周辺機器（ＳＦＰ）
１１１  中央演算装置（Ｃｅｎｔｒａｌ  Ｐｒｏｃｅｓｓｉｎｇ  Ｕｎｉｔ：ＣＰＵ）
１１２  メモリ
１１３  ハードディスクドライブ（ＨＤＤ）
１１４  ユーザーインターフェース（ＵＩ）
１１５  入出力部（Ｉｎｐｕｔ  Ｏｕｔｐｕｔ）
１１６  プリント部
１１７  システムバス
１２０  パーソナルコンピュータ（ＰＣ）
１２１  中央演算装置（Ｃｅｎｔｒａｌ  Ｐｒｏｃｅｓｓｉｎｇ  Ｕｎｉｔ：ＣＰＵ）
１２２  メモリ
１２３  入出力部（Ｉｎｐｕｔ  Ｏｕｔｐｕｔ）
１２４  ハードディスクドライブ（ＨＤＤ）
１２５  システムバス
１２６  ディスプレイ
１２７  キーボード
【図１】
2006243998.tif 000003
【図２】
2006243998.tif 000004
【図３】
2006243998.tif 000005
【図４】
2006243998.tif 000006